(57)【要約】  追加検査が必要になった際の検査オーダ発行における利便性を向上させる。  レポート生成サーバ７０は、読影医用ＰＣ端末６０からの指示信号、検査オーダ生成用の情報等に基づいて検査オーダ情報を生成する。そして、レポートサーバ７０は、当該検査オーダ情報に基づいて検査オーダメッセージを生成する。そして、レポート生成サーバ７０は、当該検査オーダメッセージを検査部門システムの情報管理装置（ＥＩＳ３０やＰＩＳ８０）に送信する。
2009078292.tif 000002
【特許請求の範囲】
【請求項１】
医用画像の読影レポートを生成するレポート生成サーバであって、
検査オーダ生成用の情報を取得する取得手段と、
当該検査オーダ生成用の情報に基づいて検査オーダを生成し、当該検査オーダを発行する制御手段と、
を備えるレポート生成サーバ。
【請求項２】
ユーザ毎に前記検査オーダの発行条件が記憶されている記憶手段を更に備え、
前記制御手段は、
クライアント端末を操作しているユーザを判定し、当該判定したユーザに対応する前記検査オーダの前記発行条件に基づいて前記検査オーダの発行を制御する、
請求項１に記載のレポート生成サーバ。
【請求項３】
前記制御手段は、
ログイン名に基づいて、前記クライアント端末を操作しているユーザを判定する、
請求項２に記載のレポート生成サーバ。
【請求項４】
前記検査オーダの発行条件は、当該検査オーダに基づく検査が再検査か否かを含む、
請求項２又は３に記載のレポート生成サーバ。
【請求項５】
前記検査オーダの発行条件は、当該検査オーダの発行先を含む、
請求項２〜４の何れか一項に記載のレポート生成サーバ。
【請求項６】
医用画像の読影レポートを生成するコンピュータを、
検査オーダ生成用の情報を取得する取得手段、
当該検査オーダ生成用の情報に基づいて検査オーダを生成し、当該検査オーダを発行する制御手段、
として機能させるためのプログラム。
【発明の詳細な説明】
【技術分野】
【０００１】
本発明は、レポート生成サーバ及びプログラムに関する。
【背景技術】
【０００２】
近年、医療の分野では、患者を撮影した医用画像のデジタル化が実現されている。例えば、ＣＲ（Computed Radiography）装置、ＣＴ（Computed Tomography）装置、ＭＲＩ（Magnetic Resonance Imaging）装置等の撮影装置により撮影され、デジタル化された医用画像は、患者情報や検査情報等とともにＰＡＣＳ（Picture Archiving and Communication System）と呼ばれる画像サーバに保存され、管理されている。これに伴い、フィルムに出力された画像からモニタに表示された画像へと、医師による画像診断の対象が移行してきている。【０００３】
ところで、撮影装置の種類も増え、より高解像度の画像が得られる等、技術の進歩により、医師の診断においても、より高度な専門性が要求されてきている。また、撮影される画像量が多くなってきているため、臨床医が患者と対面しながら画像診断をすることは困難である。そのため、大規模な病院では、読影専門の医師（読影医）が画像を診断し、読影レポート（報告書）を作成し、その結果に基づいて、臨床医が病名診断を行う場合が多い。【０００４】
例えば、病院内において、放射線科の部門内の情報を管理するＲＩＳサーバ、医用画像を保存する画像サーバ、画像診断のレポートを作成するレポートサーバ等の連携を図り、レポート作成時にそのレポートに対応する画像が画像サーバに保管されていることを保障するために、ＲＩＳサーバが画像サーバへの画像の配送状況を管理する医用画像管理システムが提案されている（特許文献１参照）。
【特許文献１】特開２００７−２４１５０４号公報
【発明の開示】
【発明が解決しようとする課題】
【０００５】
しかし、検査後に、読影医の判断によって追加検査が必要となったり、検査結果の精度が低いために再検査が必要となったりする場合も多い。現状では、追加検査や再検査の要求は電子カルテ／オーダリングシステムからしか行えず、そのシステムを利用するための端末は、主に臨床医がいる診察室に設置されている。そのため、各部門の医師が追加検査等を依頼する場合には臨床医に対して電話や伝票で連絡し、改めて臨床医が検査オーダを入力する必要があった。このように、読影医が直接検査を依頼することができないため、作業が煩雑であり、検査が遅れる場合があった。【０００６】
本発明は、上記の従来技術における問題に鑑みてなされたものであって、追加検査が必要になった際の検査オーダ発行における利便性を向上させることを課題とする。
【課題を解決するための手段】
【０００７】
上記の課題を解決するために、請求項１に記載の発明は、
医用画像の読影レポートを生成するレポート生成サーバであって、
検査オーダ生成用の情報を取得する取得手段と、
当該検査オーダ生成用の情報に基づいて検査オーダを生成し、当該検査オーダを発行する制御手段と、
を備える。【０００８】
請求項２に記載の発明は、請求項１に記載の発明において、
ユーザ毎に前記検査オーダの発行条件が記憶されている記憶手段を更に備え、
前記制御手段は、
クライアント端末を操作しているユーザを判定し、当該判定したユーザに対応する前記検査オーダの前記発行条件に基づいて前記検査オーダの発行を制御する。【０００９】
請求項３に記載の発明は、請求項２に記載の発明において、
前記制御手段は、
ログイン名に基づいて、前記クライアント端末を操作しているユーザを判定する。【００１０】
請求項４に記載の発明は、請求項２又は３に記載の発明において、
前記検査オーダの発行条件は、当該検査オーダに基づく検査が再検査か否かを含む。【００１１】
請求項５に記載の発明は、請求項２〜４の何れか一項に記載の発明において、
前記検査オーダの発行条件は、当該検査オーダの発行先を含む。【００１２】
請求項６に記載のプログラムは、
医用画像の読影レポートを生成するコンピュータを、
検査オーダ生成用の情報を取得する取得手段、
当該検査オーダ生成用の情報に基づいて検査オーダを生成し、当該検査オーダを発行する制御手段、
として機能させる。
【発明の効果】
【００１３】
請求項１、６に記載の発明によれば、レポート生成サーバが検査オーダを生成し発行するので、追加検査が必要になった際の検査オーダ発行における利便性を向上させることができる。【００１４】
請求項２、３に記載の発明によれば、レポート生成サーバがユーザ毎に検査オーダの発行を制御するので、適切な検査オーダの発行を行うことができる。【００１５】
請求項４、５に記載の発明によれば、より適切な検査オーダ発行を行うことができる。
【図面の簡単な説明】
【００１６】
【図１】本発明の一実施形態における医用画像システムのシステム構成図である。
【図２】レポート生成サーバのブロック図である。
【図３】レポート生成画面の画面例である。
【図４】保存ボタンが押下された場合に、レポート生成サーバの制御部が実行する処理を示すフローチャートである。
【図５】発行ボタンが押下された場合に、レポート生成サーバの制御部が実行する処理を示すフローチャートである。
【図６Ａ】ＨＬ７レポートオブジェクトのデータ構成図である。
【図６Ｂ】ＨＬ７レポートオブジェクトのデータ構成図である。
【図７】医用画像システムで実行される処理のラダーチャートである。
【発明を実施するための最良の形態】
【００１７】
以下、図面を参照して、本発明に係る医用画像システムの一実施形態について説明する。【００１８】
[医用画像システムのシステム構成]
図１に、医用画像システム１のシステム構成を示す。図１に示すように、医用画像システム１は、電子カルテサーバ１０と、臨床医用ＰＣ端末２０と、内視鏡部門システム２、病理部門システム３等の各検査部門システムとから構成されており、各装置及び各システムは通信ネットワークＮを介してデータ通信可能に接続されている。【００１９】
内視鏡部門システム２は、内視鏡科部門内におけるシステムである。また、内視鏡部門システム２は、ＥＩＳ（Endoscopy Information System）３０と、内視鏡装置４０と、画像サーバ５０と、読影医用ＰＣ端末６０と、レポート生成サーバ７０とから構成されており、各装置は通信ネットワークＮを介してデータ通信可能に接続されている。【００２０】
ＥＩＳ３０は、内視鏡科部門内における診療予約、実績管理、材料在庫管理等の情報管理を行う情報管理装置である。ＥＩＳ３０は、電子カルテサーバ１０から受信した検査オーダメッセージを内視鏡装置４０、画像サーバ５０、レポート生成サーバ７０に送信する。ここで、検査オーダメッセージとは、検査オーダ（検査オーダ情報）に患者情報及び検査情報が付帯した情報である。検査オーダ情報は、患者の検査（撮影等）を依頼するための情報である。患者情報は、患者氏名、患者ＩＤ、生年月日、性別等の患者に関する情報である。検査情報は、検査を識別する検査インスタンスＵＩＤ、検査日、検査時刻、受付番号、検査部位、撮影手技、体位、依頼医師、依頼科等の撮影に関する情報である。【００２１】
内視鏡装置４０は、ＥＩＳ３０から受信した検査オーダメッセージに従って、患者を撮影し、医用画像の画像データ（以下、医用画像データという。）を生成する撮影装置である。また、内視鏡装置４０は、前記検査オーダメッセージに含まれる患者情報及び検査情報に基づいて、前記医用画像データに関する付帯情報を生成する。そして、内視鏡装置４０は、医用画像データに付帯情報を付帯させて、ＤＩＣＯＭ規格に則ったＤＩＣＯＭ画像データを生成し、画像サーバ５０に送信する。付帯情報は、患者情報、検査情報、シリーズ情報等を含む。シリーズ情報とは、一つの検査の中で生成される撮影装置毎の一連の医用画像の単位（シリーズ）を示すシリーズインスタンスＵＩＤや撮影装置の種別を含むデータである。【００２２】
画像サーバ５０は、ＤＩＣＯＭ画像データ等を保存し、管理する。画像サーバ５０は、他装置から受信するデータ取得要求に応じて、ＤＩＣＯＭ画像データ、ＤＩＣＯＭ画像データの付帯情報に含まれる患者情報、検査情報等を当該他装置に提供する。また、画像サーバ５０は、ＥＩＳ３０から送信された検査オーダメッセージを保存する。【００２３】
レポート生成サーバ７０は、内視鏡装置４０において撮影された医用画像の読影レポート（読影レポート情報）を生成するレポート生成機能を有する。ここで、レポート生成サーバ７０は、読影医用ＰＣ端末６０や図示しないその他のクライアント端末からの指示信号等に基づいて、前記読影レポート情報を生成する。レポート生成サーバ７０は、当該生成した読影レポート情報に、ＥＩＳ３０から送信された検査オーダメッセージに含まれる患者情報及び検査情報を付帯させ、ＨＬ７規格に則ったＨＬ７レポートオブジェクト（図６Ａ又は図６Ｂ参照）を生成し、当該ＨＬ７レポートオブジェクトを保存する。また、レポート生成サーバ７０は、当該ＨＬ７レポートオブジェクトを電子カルテサーバ１０に送信する。【００２４】
また、レポート生成サーバ７０は、読影医用ＰＣ端末６０や図示しないその他のクライアント端末からの指示信号等に基づいて、患者の検査（撮影等）を依頼するための検査オーダメッセージを生成する。そして、レポート生成サーバ７０は、ＥＩＳ３０やＰＩＳ８０等の該当する検査部門システムの情報管理装置に当該生成した検査オーダメッセージを送信する。ここで、検査オーダメッセージ（具体的には、検査オーダメッセージに含まれる検査オーダ情報）を検査部門システムの情報管理装置に送信することを検査オーダの「発行」と称す。【００２５】
読影医用ＰＣ端末６０は、医用画像を表示するモニタを有し、内視鏡科専門の読影医が医用画像の読影レポートを作成すること、追加の検査オーダ発行のための操作を行うことを主な目的として設置されるＰＣ（Personal Computer）等の端末である。読影医用ＰＣ端末６０は、読影医による操作に基づき、レポート生成サーバ７０に指示信号等を送信する。そして、レポート生成サーバ７０は、送信された指示信号等に基づいて読影レポートの生成や、追加の検査オーダの発行を行う。また、読影医用ＰＣ端末６０は、読影医による操作に基づき、画像サーバ５０にＤＩＣＯＭ画像データの取得要求を送信し、ＤＩＣＯＭ画像データを取得する。そして、読影医用ＰＣ端末６０は、当該ＤＩＣＯＭ画像データに基づき、モニタに医用画像を表示する。【００２６】
病理部門システム３は、病理部門内におけるシステムである。また、病理部門システム３は、ＰＩＳ（Pathology Information System）８０と、顕微鏡装置９０と、画像サーバ１００と、読影医用ＰＣ端末１１０と、レポート生成サーバ１２０とから構成されており、各装置は、通信ネットワークＮを介してデータ通信可能に接続されている。【００２７】
ＰＩＳ８０は、病理部門内における診察予約、実績管理、材料在庫管理等の情報管理を行う情報管理装置である。ＰＩＳ８０は、電子カルテサーバ１０から受信した検査オーダメッセージを顕微鏡装置９０、画像サーバ１００、レポート生成サーバ１２０に送信する。【００２８】
顕微鏡装置９０は、ＰＩＳ８０から受信した検査オーダメッセージに従って、検体を撮影し、医用画像データを生成する撮影装置である。また、顕微鏡装置９０は、前記検査オーダメッセージに含まれる患者情報及び検査情報に基づいて、前記医用画像データに関する付帯情報を生成する。そして、顕微鏡装置９０は、医用画像データに付帯情報を付帯させて、ＤＩＣＯＭ規格に則ったＤＩＣＯＭ画像データを生成し、画像サーバ１００に送信する。【００２９】
画像サーバ１００は、ＤＩＣＯＭ画像データ等を保存し、管理する。画像サーバ１００は、他装置から受信するデータ取得要求に応じて、ＤＩＣＯＭ画像データ、ＤＩＣＯＭ画像データの付帯情報に含まれる患者情報、検査情報等を当該他装置に提供する。また、画像サーバ１００は、ＰＩＳ８０から送信された検査オーダメッセージを保存する。【００３０】
レポート生成サーバ１２０は、顕微鏡装置９０において撮影された医用画像の読影レポート（読影レポート情報）を生成するレポート生成機能を有する。ここで、レポート生成サーバ１２０は、読影医用ＰＣ端末１１０や図示しないその他のクライアント端末からの指示信号等に基づいて、前記読影レポート情報を生成する。レポート生成サーバ１２０は、当該生成した読影レポート情報に、ＰＩＳ８０から送信された検査オーダメッセージに含まれる患者情報及び検査情報を付帯させ、ＨＬ７規格に則ったＨＬ７レポートオブジェクト（図６Ａ又は図６Ｂ参照）を生成し、当該ＨＬ７レポートオブジェクトを保存する。また、レポート生成サーバ１２０は、当該ＨＬ７レポートオブジェクトを電子カルテサーバ１０に送信する。【００３１】
また、レポート生成サーバ１２０は、読影医用ＰＣ端末１１０や図示しないその他のクライアント端末からの指示信号等に基づいて、患者の検査（撮影等）を依頼するための検査オーダメッセージを生成する。そして、レポート生成サーバ１２０は、ＥＩＳ３０やＰＩＳ８０等の該当する検査部門システムの情報管理装置に当該生成した検査オーダメッセージを送信する。【００３２】
読影医用ＰＣ端末１１０は、医用画像を表示するモニタを有し、病理専門の読影医が医用画像の読影レポートを作成すること、追加の検査オーダ発行のための操作を行うことを主な目的として設置されるＰＣ等の端末である。読影医用ＰＣ端末１１０は、読影医による操作に基づき、レポート生成サーバ１２０に指示信号等を送信する。そして、レポート生成サーバ１２０は、送信された指示信号等に基づいて読影レポートの生成や、追加の検査オーダの発行を行う。また、読影医用ＰＣ端末１１０は、読影医による操作に基づき、画像サーバ１００にＤＩＣＯＭ画像データの取得要求を送信し、ＤＩＣＯＭ画像データを取得する。そして、読影医用ＰＣ端末１１０は、当該ＤＩＣＯＭ画像データに基づき、モニタに医用画像を表示する。【００３３】
電子カルテサーバ１０は、診療録データを生成する電子カルテ機能を有し、患者の病状や診断結果等を保存する。電子カルテサーバ１０は、臨床医用ＰＣ端末２０等のクライアント端末からの指示信号等に基づいて、診療録データを生成する。また、電子カルテサーバ１０は、臨床医用ＰＣ端末２０等のクライアント端末からの指示信号等に基づいて、患者の検査（撮影等）を依頼するための検査オーダメッセージを生成する。そして、電子カルテサーバ１０は、ＥＩＳ３０やＰＩＳ８０等の該当する検査部門システムの情報管理装置に当該生成した検査オーダメッセージを送信する。【００３４】
臨床医用ＰＣ端末２０は、臨床医による電子カルテの作成、臨床医による検査オーダの発行操作を主な目的として設置されるＰＣ等の端末である。臨床医用ＰＣ端末２０は、臨床医による操作に基づき、電子カルテサーバ１０に指示信号等を送信する。そして、電子カルテサーバ１０は、送信された指示信号等に基づいて診療録データの生成や検査オーダの発行等を行う。【００３５】
[レポート生成サーバの機能的構成]
図２に、レポート生成サーバ７０の機能的構成を示す。図２に示すように、レポート生成サーバ７０は、制御部７１、操作部７２、表示部７３、通信部７４、ＲＯＭ（Read Only Memory）７５、記憶部７６を備えて構成され、各部はバス７７により接続されている。【００３６】
制御部７１は、ＣＰＵ（Central Processing Unit）、ＲＡＭ（Random Access Memory）等から構成され、レポート生成サーバ７０の各部の処理動作を統括的に制御する。具体的には、ＣＰＵは、操作部７２から入力される操作信号又は通信部７４により受信される指示信号に応じて、ＲＯＭ７５に記憶されている各種処理プログラムを読み出し、ＲＡＭ内に形成されたワークエリアに展開し、当該プログラムとの協働により各種処理を行う。【００３７】
操作部７２は、カーソルキー、数字入力キー、及び各種機能キー等を備えたキーボードと、マウス等のポインティングデバイスを備えて構成され、キーボードに対するキー操作やマウス操作により入力された操作信号を制御部７１に出力する。【００３８】
表示部７３は、ＬＣＤ（Liquid Crystal Display）により構成され、制御部７１から入力される表示データに基づいて各種画面を表示する。【００３９】
通信部７４は、ＬＡＮ（Local Area Network）アダプタ、ルータ、ＴＡ（Terminal Adapter）等を備え、通信ネットワークＮを介して接続された電子カルテサーバ１０、ＥＩＳ３０、読影医用ＰＣ端末６０等の外部機器との間でデータの送受信を行う。【００４０】
ＲＯＭ７５は、不揮発性の半導体メモリ等により構成され、制御プログラム、当該プログラムの実行に必要なパラメータやファイル等を記憶している。【００４１】
記憶部７６は、ハードディスク等から構成され、制御部７１によって生成されるＨＬ７レポートオブジェクト、発行権限テーブル７６１等を記憶する。ＨＬ７レポートオブジェクトについての詳細は後述する。【００４２】
発行権限テーブル７６１は、クライアント端末からレポート生成サーバにログインしているユーザと、当該検査オーダのオーダ内容と、当該検査オーダの発行の可否とを対応付けるテーブルであり、各ユーザ及びオーダ内容の組み合わせに対して検査オーダの発行の可否が設定されている。例えば、ログインしているユーザが「研修医（経験の浅い読影医）」であり、当該ユーザによって作成された検査オーダのオーダ内容が「再検査」である場合は、当該検査オーダの発行の可否には、「発行不可」が設定される。また、ログインしているユーザが「承認医（承認権限を持つ読影医）」であり、当該ユーザによって作成された検査オーダのオーダ内容が「他部門検査」である場合は、当該検査オーダの発行の可否には、「発行可」が設定される。つまり、この発行権限テーブル７６１により、ユーザ毎に検査オーダの発行条件（発行権限）が設定されていることになる。また、この発行権限テーブル７６１において、「クライアント端末からレポート生成サーバにログインしているユーザ」は、「ログイン名」としてもよいし、「ユーザＩＤ」としてもよい。【００４３】
制御部７１は、通信部７４を介して、読影医用ＰＣ端末６０等のクライアント端末から画面表示要求を受信すると、ＥＩＳ３０から受信する検査オーダメッセージに基づいて、当該クライアント端末の表示部にレポート生成画面６３１（図３参照）を表示させる。当該レポート生成画面６３１は、読影医によるレポート作成作業の際に参照される。【００４４】
[レポート生成画面]
図３に、レポート生成画面６３１の画面例を示す。図３に示すように、レポート生成画面６３１は、発行ボタンｄ１、保存ボタンｄ２、患者／検査情報表示部ｄ３、所見入力欄ｄ４、オーダ入力欄ｄ５等から構成される。【００４５】
患者／検査情報表示部ｄ３には、読影対象となる医用画像に対応する患者情報と検査情報が表示される。所見入力欄ｄ４には、読影医による読影結果がテキスト入力される。オーダ入力欄ｄ５には、検査オーダの項目情報（検査部位、撮影手技、検査予定日、検査予定時刻等）が選択入力される。【００４６】
保存ボタンｄ２は、所見入力欄ｄ４に入力されたテキスト情報を読影レポートとしてレポート生成サーバ７０に保存させるためのボタンである。当該保存ボタンｄ２が押下されると、読影医用ＰＣ端末６０は、読影レポート（読影レポート情報）を生成する旨の指示信号と所見入力欄ｄ４に入力されたテキスト情報とをレポート生成サーバ７０に送信する。尚、オーダ入力欄ｄ５に入力された項目情報は、レポート生成サーバ７０に送信されない。【００４７】
[保存ボタン押下時に、レポート生成サーバの制御部が実行する処理]
図４に、保存ボタンｄ２が押下された場合に、レポート生成サーバ７０の制御部７１が実行する処理のフローチャートを示す。図４に示すように、制御部７１は、通信部７４を介して読影医用ＰＣ端末６０から読影レポートを生成する旨の指示信号とテキスト情報とを受信すると、当該テキスト情報に基づいて、読影レポート情報を生成する（ステップＳ１）。そして、制御部７１は、当該生成した読影レポート情報に、ＥＩＳ３０から受信した検査オーダメッセージに含まれる患者情報及び検査情報を付帯させ、ＨＬ７レポートオブジェクト（図６Ａ参照）を生成する（ステップＳ２）。そして、制御部７１は、生成したＨＬ７レポートオブジェクトを記憶部７６に保存する（ステップＳ３）。そして、制御部７１は、通信部７４を介して、生成したＨＬ７レポートオブジェクトを電子カルテサーバ１０に送信する（ステップＳ４）。以上で処理が終了する。【００４８】
図３に戻り、発行ボタンｄ１は、所見入力欄ｄ４に入力されたテキスト情報を読影レポートとしてレポート生成サーバ７０に保存させると共に、オーダ入力欄ｄ５に入力された項目情報に基づいた検査オーダをレポート生成サーバ７０に発行させるためのボタンである。当該発行ボタンｄ１が押下されると、読影医用ＰＣ端末６０は、読影レポート（読影レポート情報）及び検査オーダ（検査オーダ情報）を生成する旨の指示信号と、所見入力欄ｄ４に入力されたテキスト情報と、オーダ入力欄ｄ５に入力された項目情報とをレポート生成サーバ７０に送信する。【００４９】
[発行ボタン押下時に、レポート生成サーバの制御部が実行する処理]
図５に、発行ボタンｄ１が押下された場合に、レポート生成サーバ７０の制御部７１が実行する処理のフローチャートを示す。図５に示すように、制御部７１は、通信部７４を介して読影医用ＰＣ端末６０から読影レポート及び検査オーダを生成する旨の指示信号とテキスト情報と項目情報（検査オーダ生成用の情報）とを受信すると、当該項目情報に基づいて検査オーダ情報を生成する。そして、制御部７１は、生成した検査オーダ情報と受信したテキスト情報に基づいて、検査オーダ情報を含んだ読影レポート情報を生成する（ステップＳ１０１）。そして、制御部７１は、当該生成した読影レポート情報に、ＥＩＳ３０から受信した検査オーダメッセージに含まれる患者情報及び検査情報を付帯させ、ＨＬ７レポートオブジェクト（図６Ｂ参照）を生成する（ステップＳ１０２）。そして、制御部７１は、生成したＨＬ７レポートオブジェクトを記憶部７６に保存する（ステップＳ１０３）。そして、制御部７１は、生成したＨＬ７レポートオブジェクトを電子カルテサーバ１０に送信する（ステップＳ１０４）。【００５０】
次に、制御部７１は、ログイン名に基づき、当該レポート生成サーバ７０にログインしているユーザを判定する（ステップＳ１０５）。そして、制御部７１は、判定したユーザ（ログイン名又はユーザＩＤ）と、検査オーダ情報と、発行権限テーブル７６１とに基づいて、検査オーダの発行の可否を判定する（ステップＳ１０６）。具体的には、制御部７１は、検査オーダ情報に含まれるオーダ内容（再検査や他部門検査等）を読み出し、発行権限テーブル７６１を参照してログインしているユーザにおける検査オーダの発行の可否について判定する。【００５１】
ステップＳ１０６における判定の結果、検査オーダの発行が可能な場合（発行権限が有る場合）（ステップＳ１０７；ＹＥＳ）、制御部７１は、生成したＨＬ７レポートオブジェクトに含まれる検査情報に基づいて新たな検査情報を生成する。そして、制御部７１は、検査オーダ情報に、ＨＬ７レポートオブジェクトに含まれる患者情報と新たに生成された検査情報とを付帯させ、検査オーダメッセージを生成する（ステップＳ１０８）。そして、制御部７１は、通信部７４を介して、当該生成したオーダメッセージをＥＩＳ３０やＰＩＳ８０等の該当する検査部門システムの情報管理装置に送信する（ステップＳ１０９）。【００５２】
ステップＳ１０６における判定の結果、検査オーダの発行が不可能な場合（発行権限が無い場合）（ステップＳ１０７；ＮＯ）、制御部７１は、読影医用ＰＣ端末６０の表示部に検査オーダの発行権限が無い旨のメッセージを表示させる（ステップＳ１１０）。以上で、処理が終了する。【００５３】
尚、病理部門システム３におけるレポート生成サーバ１２０の機能的構成も、上述した内視鏡部門システム２におけるレポート生成サーバ７０の機能的構成と同様であるものとする。【００５４】
[医用画像システム内の各装置の具体的な動作]
次に、医用画像システム１において実行される処理の具体的な動作について説明する。【００５５】
図７は、医用画像システム１において実行される処理を示すラダーチャートである。まず、電子カルテサーバ１０は、臨床医用ＰＣ端末２０からの指示信号に基づいて、検査オーダメッセージを生成し（ステップＳ２０１）、ＥＩＳ３０に送信する（ステップＳ２０２）。【００５６】
そして、ＥＩＳ３０は、電子カルテサーバ１０から受信した検査オーダメッセージを内視鏡装置４０、画像サーバ５０、レポート生成サーバ７０に送信する（ステップＳ２０３）。【００５７】
内視鏡装置４０は、ＥＩＳ３０から受信した検査オーダメッセージに従って、患者を撮影し、ＤＩＣＯＭ画像データを生成する（ステップＳ２０４）。そして、内視鏡装置４０は、当該生成したＤＩＣＯＭ画像データを画像サーバ５０に送信する（ステップＳ２０５）。そして、画像サーバ５０は、受信したＤＩＣＯＭ画像データを保存する（ステップＳ２０６）。【００５８】
そして、読影医用ＰＣ端末６０は、読影医による操作に基づき、画像サーバ５０にＤＩＣＯＭ画像データの取得要求を送信し、取得したＤＩＣＯＭ画像データに基づき、モニタに医用画像を表示する。また、読影医用ＰＣ端末６０は、読影医による操作に基づき、レポート生成サーバ７０にレポート生成画面６３１の表示要求を送信し、レポート生成画面６３１を表示する。読影医は、モニタに表示された医用画像を参照し、レポート生成画面６３１上で読影レポートを作成する。読影レポート作成の際、読影医は、再検査や他部門検査が必要であると判断した場合は、レポート生成画面６３１上で検査オーダの項目情報を入力し、発行ボタンｄ１を押下する。【００５９】
そして、レポート生成サーバ７０は、読影医用ＰＣ端末６０から受信した各種情報に基づいて、読影医による検査オーダ情報を含んだＨＬ７レポートオブジェクトを生成して保存する（ステップＳ２０７）。そして、レポート生成サーバ７０は、ログインしているユーザに検査オーダの発行権限が有るか否かを判定し、発行権限が有る場合、生成したＨＬ７レポートオブジェクトを電子カルテサーバ１０に送信する（ステップＳ２０８）。【００６０】
また、レポート生成サーバ７０は、読影医による検査オーダ情報等に基づき、検査オーダメッセージを生成する（ステップＳ２０９）。そして、レポート生成サーバ７０は、ＥＩＳ３０やＰＩＳ８０等の該当する検査部門システムの情報管理装置に当該検査オーダメッセージを送信する（ステップＳ２１０）。【００６１】
そして、当該検査オーダメッセージが発行された内視鏡部門システム２又は病理部門システム３では、再検査が行われ、処理が終了する。【００６２】
以上、本実施の形態によると、レポート生成サーバ７０は、読影医用ＰＣ端末６０からの指示信号、検査オーダ生成用の情報等に基づいて検査オーダ情報を生成する。そして、レポート生成サーバ７０は、当該検査オーダ情報に基づいて検査オーダメッセージを生成する。そして、レポート生成サーバ７０は、当該検査オーダメッセージを検査部門システムの情報管理装置（ＥＩＳ３０やＰＩＳ８０）に送信（検査オーダを発行）する。【００６３】
そのため、読影医が、医用画像を読影しているときに、再検査や他部門検査等の追加検査が必要と判断した場合、ログインしているレポート生成サーバ７０上で、読影レポートの作成と共に、追加検査の検査オーダの発行指示を出し、当該レポート生成サーバ７０から直接検査オーダを発行させることができる。よって、追加検査が必要になった際の検査オーダ発行における利便性を向上させることができる。例えば、読影医が、臨床医に対して電話や伝票で連絡し、改めて臨床医が検査オーダを入力する必要が無くなる。また、読影医が、読影結果を考慮した検査オーダの発行を行うことができる。また、読影医が直接検査オーダの作成を行うので、検査オーダの誤入力等を防ぐことができる。【００６４】
また、電子カルテサーバ１０を介さずに、レポート生成サーバ７０から直接検査オーダを発行できるため、臨床医の承認を待つことなく早急な検査オーダの発行ができる。例えば、臨床医の勤務時間外（深夜や休日）に、読影医が読影を行い、組織変化が起こらないよう早急な検査を必要とする病理検査を追加検査として必要と判断した場合等に有効である。【００６５】
また、電子カルテサーバ１０は、ユーザ（ログイン名又はユーザＩＤ）と、検査オーダ情報と、発行権限テーブル７６１とに基づいて、検査オーダの発行の可否を判定し、当該検査オーダの発行を制御（制限）する。【００６６】
そのため、レポート生成サーバ７０にログインして検査オーダ生成のための操作を行った読影医の経験や、生成された追加検査の検査オーダの内容（再検査、他部門検査等）に応じて、検査オーダの発行を制限でき、より適切な検査オーダの発行を行うことができる。【００６７】
尚、上記実施の形態における記述は、本発明に係る医用画像システムの一例であり、これに限定されるものではない。システムを構成する各装置の細部構成及び細部動作に関しても適宜変更可能である。【００６８】
例えば、上記実施の形態において、内視鏡部門システム２のレポート生成サーバ７０と、病理部門システム３のレポート生成サーバ１２０とは、同様の機能的構成であるとしたが、レポート生成サーバ７０のみに、検査オーダを発行する機能を持たせてもよい。【００６９】
また、上記実施の形態では、プログラムを格納したコンピュータ読み取り可能な媒体としてＲＯＭを使用した例を開示したが、この例に限定されない。その他のコンピュータ読み取り可能な媒体として、フラッシュメモリ等の不揮発性メモリ、ＣＤ−ＲＯＭ等の可搬型記録媒体を適用することが可能である。また、プログラムのデータを通信回線を介して提供する媒体として、キャリアウエーブ（搬送波）も適用可能である。
【産業上の利用可能性】
【００７０】
医療分野において利用することが可能であり、医用画像の読影レポートを生成するレポート生成サーバ等に適用することができる。
【符号の説明】
【００７１】
１        医用画像システム
２        内視鏡部門システム
３        病理部門システム
１０      電子カルテサーバ
２０      臨床医用ＰＣ端末
３０      ＥＩＳ
４０      内視鏡装置
５０      画像サーバ
６０      読影医用ＰＣ端末
７０      レポート生成サーバ
７１      制御部
７２      操作部
７３      表示部
７４      通信部
７５      ＲＯＭ
７６      記憶部
７７      バス
８０      ＰＩＳ
９０      顕微鏡装置
１００    画像サーバ
１１０    読影医用ＰＣ端末
１２０    レポート生成サーバ
６３１    レポート生成画面
７６１    発行権限テーブル
ｄ１      発行ボタン
ｄ２      保存ボタン
ｄ３      患者／検査情報表示部
ｄ４      所見入力欄
ｄ５      オーダ入力欄
Ｎ        通信ネットワーク
【図１】
2009078292.tif 000003
【図２】
2009078292.tif 000004
【図３】
2009078292.tif 000005
【図４】
2009078292.tif 000006
【図５】
2009078292.tif 000007
【図６Ａ】
2009078292.tif 000008
【図６Ｂ】
2009078292.tif 000009
【図７】
2009078292.tif 000010
【国際調査報告】
2009078292.tif 000011
2009078292.tif 000012